(57)【要約】  本発明の液晶表示装置は、少なくとも表示領域に延在する液晶層と、上記液晶層を挟み込むように互いに貼り合わせられた第１および第２の基板と、これらの基板を挟み込むように配置された一対の偏光板とを備える液晶表示装置であって、上記第１の基板には、複数の画素の各々に対応して画素電極（８）が設けられ、上記第２の基板には、上記画素電極と対向するように対向電極が設けられ、上記画素電極の上記液晶層側の表面には第１配向膜が配置され、上記対向電極の上記液晶層側の表面には第２配向膜が配置され、上記画素は、上記第１および第２配向膜の配向状態の組合せがそれぞれ異なった状態となっている複数のドメイン（１３）を含み、画素電極（８）は、外形辺の少なくとも一部に沿って、上記外形辺の近傍にスリット群（１４）を有する。
2012099047.tif 000002
【特許請求の範囲】
【請求項１】
複数の画素を含む表示領域（２）を有し、
少なくとも前記表示領域に延在する液晶層（４）と、
前記液晶層を挟み込むように互いに貼り合わせられた第１および第２の基板と、
前記第１，第２の基板を挟み込むように配置された一対の偏光板（７ａ，７ｂ）とを備える液晶表示装置（１）であって、
前記第１の基板には、前記複数の画素の各々に対応して画素電極（８）が設けられ、
前記第２の基板には、前記画素電極と対向するように対向電極（９）が設けられ、
前記画素電極の前記液晶層側の表面には第１配向膜（１１）が配置され、
前記対向電極の前記液晶層側の表面には第２配向膜（１２）が配置され、
前記画素は、前記第１および第２配向膜の配向方位の組合せがそれぞれ異なった状態となっている複数のドメイン（１３）を含み、
前記画素電極は、外形辺（１７）の少なくとも一部に沿って、前記外形辺の近傍にスリット群（１４）を有する、液晶表示装置。
【請求項２】
前記複数のドメインの外形辺のうち前記画素電極の外形辺をなすものをドメイン辺（１６ａ〜１６ｈ）と呼ぶこととしたとき、前記スリット群は、前記第１配向膜と前記第２配向膜とによって前記液晶層の厚み方向中央において生じる液晶分子の前記第２基板側の端が向く側の前記ドメイン辺に設けられている、請求項１に記載の液晶表示装置。
【請求項３】
前記スリット群は、前記画素電極の最も近い外形辺に対して垂直な方向に延在する線状のスリット（１５）を前記最も近い外形辺に平行な方向に複数並べたものである、請求項１または２に記載の液晶表示装置。
【請求項４】
前記スリットの前記画素電極の端から遠い側の端の位置は、前記スリット群が設けられなかった場合に生じる暗線の前記画素電極の端から遠い側の端の位置に等しい、請求項３に記載の液晶表示装置。
【請求項５】
前記画素は長方形であり、前記複数のドメインは前記画素の内部に縦２つ横２つの合計４つ配列されたドメインであり、前記各ドメインにおいては、前記各ドメインの外形辺であってかつ前記画素の外形辺をなす２辺のうち一方の辺に沿って前記スリット群が設けられている、請求項１から４のいずれかに記載の液晶表示装置。
【請求項６】
前記２辺のうち他方の辺に沿っては前記スリット群が設けられていない、請求項５に記載の液晶表示装置。
【発明の詳細な説明】
【技術分野】
【０００１】
本発明は、液晶表示装置に関するものである。特に、１つの画素内に複数のドメインが形成された液晶表示装置に関する。
【背景技術】
【０００２】
従来から各種の液晶表示装置が提案されており、特に近年は、視野角の拡大、ディスクリネーションの抑制、焼きつきの低減などを図った各種の液晶表示装置が提案されている。視野角の拡大のためには、１つの画素内に複数のドメインを形成するＭＶＡ（Muitidomain  Vertical  Alignment）方式が提案されている。【０００３】
たとえば、特開２００７−２４９２４３号公報（特許文献１）には、ＭＶＡ方式の液晶表示装置の一例が記載されている。特許文献１に記載されたＭＶＡ方式の液晶表示装置は、一対の基板と、１つの画素内に形成された複数のドメインと、各ドメインにおける液晶分子の傾く方向を規制するドメイン規制手段とを備える。特許文献１では、ドメイン規制手段として、基板の表面に形成された突起や窪みと、基板に設けられたフィッシュボーン形状の電極とが挙げられている。【０００４】
このようなドメイン規制手段を設けることで、電圧印加時における各ドメインでの液晶分子の傾斜方向を各々異ならせている。このように、各ドメインにおける液晶分子の傾斜方向を異ならせることで、視野角の向上が図られている。【０００５】
特開２００８−１９７６９１号公報（特許文献２）に記載された液晶表示装置は、１つの画素内に形成されたドメインと、液晶層に接する部分に設けられた垂直配向膜とを備えている。垂直配向膜には、斜め方向から紫外線（ＵＶ：Ultra  Violet光）を照射することによって配向処理が施されている。紫外線の照射方向を位置によって異ならせることで複数のドメインを形成している。この液晶表示装置は、電圧印加時に、各ドメインの配向規制方位に向けて液晶分子が配向するように突起状の構造物を備える。
【先行技術文献】
【特許文献】
【０００６】
【特許文献１】特開２００７−２４９２４３号公報
【特許文献２】特開２００８−１９７６９１号公報
【発明の概要】
【発明が解決しようとする課題】
【０００７】
電圧印加時に液晶分子が配向する方位が異なったものとなる複数のドメインを備えた液晶表示装置においては、画素の外形線の一部に暗線が生じる。【０００８】
そこで、本発明は、複数のドメインを備えた液晶表示装置であって、画素の外形線の一部に暗線が生じる現象が抑制された液晶表示装置を提供することを目的とする。
【課題を解決するための手段】
【０００９】
上記目的を達成するため、本発明に基づく液晶表示装置は、複数の画素を含む表示領域を有し、少なくとも上記表示領域に延在する液晶層と、上記液晶層を挟み込むように互いに貼り合わせられた第１および第２の基板と、上記第１，第２の基板を挟み込むように配置された一対の偏光板とを備える液晶表示装置であって、上記第１の基板には、上記複数の画素の各々に対応して画素電極が設けられ、上記第２の基板には、上記画素電極と対向するように対向電極が設けられ、上記画素電極の上記液晶層側の表面には第１配向膜が配置され、上記対向電極の上記液晶層側の表面には第２配向膜が配置され、上記画素は、上記第１および第２配向膜の配向方位の組合せがそれぞれ異なった状態となっている複数のドメインを含み、上記画素電極は、外形辺の少なくとも一部に沿って、上記外形辺の近傍にスリット群を有する。
【発明の効果】
【００１０】
本発明によれば、画素の外形線の一部に暗線が生じる現象を抑制することができる。
【図面の簡単な説明】
【００１１】
【図１】画素電極の平面図である。
【図２】ＴＦＴ基板上での露光設定の説明図である。
【図３】ＣＦ基板上での露光設定の説明図である。
【図４】ＴＦＴ基板上の液晶分子の姿勢を観察する様子の説明図である。
【図５】液晶分子のチルト方位を表す記号である。
【図６】ＴＦＴ基板上に設定された配向方位の説明図である。
【図７】ＣＦ基板上に設定された配向方位の説明図である。
【図８】ＴＦＴ基板とＣＦ基板とを張り合わせたものに生じる複数のドメインの説明図である。
【図９】ＴＦＴ基板とＣＦ基板とを張り合わせたものにおける液晶分子の姿勢を観察する様子の説明図である。
【図１０】各ドメイン内における厚み方向の中央での液晶分子のチルト方位を示す説明図である。
【図１１】各ドメイン内における厚み方向の中央での液晶分子のチルト方位を示すとともに、画素電極の外形線近傍にある液晶分子が斜め電界によって傾く様子を示した説明図である。
【図１２】１つの画素の内部に暗線が生じる様子の説明図である。
【図１３】１つの画素の内部での液晶分子を示す記号と暗線のシミュレーション結果とを重ねた図である。
【図１４】本発明に基づく実施の形態１における液晶表示装置の斜視図である。
【図１５】本発明に基づく実施の形態１における液晶表示装置の部分断面図である。
【図１６】本発明に基づく実施の形態１における液晶表示装置の部分拡大平面図である。
【図１７】画素とドメインとの平面的位置関係に関する説明図である。
【図１８】１つの画素を取り出したところの平面図である。
【図１９】図１８のＺ１部における暗線発生のシミュレーション結果である。
【図２０】スリット群がない場合の同じ部位における暗線発生のシミュレーション結果である。
【図２１】スリット群ありの場合となしの場合との透過率のグラフである。
【図２２】液晶分子の姿勢とドメイン辺との関係を示す説明図である。
【図２３】画素電極のライン部およびスペース部の説明図である。
【図２４】スリット角およびスリット深さの定義の説明図である。
【図２５】スリットなしの場合のシミュレーション結果の画像である。
【図２６】本発明に基づく実施の形態２において、スリット角を４５°としたときのシミュレーション結果の画像である。
【図２７】本発明に基づく実施の形態２において、スリット角を９０°としたときのシミュレーション結果の画像である。
【図２８】本発明に基づく実施の形態２において、スリット角を変化させた場合の透過率のグラフである。
【図２９】本発明に基づく実施の形態３において、スリット深さを１２μｍとしたときのシミュレーション結果の画像である。
【図３０】本発明に基づく実施の形態３において、スリット深さを１６μｍとしたときのシミュレーション結果の画像である。
【図３１】本発明に基づく実施の形態３において、スリット深さを２０μｍとしたときのシミュレーション結果の画像である。
【図３２】本発明に基づく実施の形態３において、スリット深さを変化させた場合の透過率のグラフである。
【発明を実施するための形態】
【００１２】
上述のような暗線が生じる理由についてまず説明する。
複数のドメインを有する液晶表示装置においては、各ドメインごとに液晶分子の姿勢が定まる。液晶層を挟む基板はＴＦＴ（Thin  Film  Transistor）基板とＣＦ（Color  Filter）基板と呼ぶものとする。ＴＦＴ基板の側には、図１に示す形状の画素電極があるものとする。各ドメインは、ＴＦＴ基板とＣＦ基板とのそれぞれに配向膜を有し、これらの配向膜には異なる配向方位が設定されている。各ドメインの内部にある液晶分子のうちＴＦＴ基板とＣＦ基板との各配向膜の近傍にあるものは、当該配向膜が有する配向方位に従って傾く。
【００１３】
なお、液晶分子の長手方向が基板面となす角度は「チルト角」と呼ぶものとする。基板に垂直な方向から見たときの液晶分子が傾いている方位を「チルト方位」と呼ぶものとする。画素電極に電圧を印加しない状態でのチルト角、チルト方位をそれぞれプレチルト角、プレチルト方位と呼ぶものとする。
【００１４】
液晶層の厚み方向に沿って配向膜からの距離が遠くなるにつれて液晶分子の姿勢が配向膜の影響を受ける度合いは減る。特にＴＦＴ基板の配向膜が有する配向方位とＣＦ基板の配向膜が有する配向方位が異なる場合は、液晶分子のチルト方位は厚み方向に沿って変化することとなる。液晶層の厚み方向の中央においては、液晶分子は、ＴＦＴ基板の配向膜によって定まるチルト方位とＣＦ基板の配向膜によって定まるチルト方位との平均に相当するチルト方位に傾く。
【００１５】
一方、画素の外形線の近傍においては画素電極の端が生じさせる斜め電界の影響により、液晶分子は画素の外形線に対して垂直かつ外形線の内側向きの方位に傾こうとする。
【００１６】
各画素内における液晶分子のチルト方位の定まり方の一例について、より詳しく説明する。各画素においては、図１に示す形状の画素電極がＴＦＴ基板側に設けられているものとする。実際には基板上には多数の画素が配列されているが、以下、１つの画素内での様子に注目して説明する。この例では、ＴＦＴ基板上では、図２に示すように、各画素が左右に２つの領域に分割され、各領域ごとに設定された方向で配向膜の露光が行なわれるものとする。ＣＦ基板上では、図３に示すように各画素が上下に２つの領域に分割され、各領域ごとに設定された方向で配向膜の露光が行なわれるものとする。図２、図３における矢印は露光時の光の照射方向を示す。
【００１７】
以下、液晶分子の傾きを記号化して示す。たとえば基板上面において図４に矢印で示すように左向きに配向方位が設定され、かつ、液晶分子が傾いている場合、この液晶分子を基板の上方から見たものと仮定すれば図４における液晶分子の左端が観察者にとっては近くに見えるので、その端を楕円形の頭で表示する。図４における液晶分子の右端は観察者にとって遠くに見えるので、尖った尻尾で表示する。その結果、図４に対応する液晶分子の様子は図５のようにオタマジャクシ（tadpole）形状で表示される。液晶分子のチルト方位はオタマジャクシ形状の頭の向きによって把握することができる。
【００１８】
配向膜に対して一定の傾いた方向から露光することによって配向膜は一定の配向方位を獲得する。配向方位は露光方向と逆向きとなる。図２に示すようにＴＦＴ基板に露光した結果、ＴＦＴ基板の表面の配向膜においては、図６に示すような配向方位となる。図３に示すようにＣＦ基板に露光した結果、ＣＦ基板の表面の配向膜においては、図７に示すような配向方位となる。図６、図７における矢印は設定された配向方位を意味し、配向膜が配向膜近傍の液晶分子を当該方位に傾かせる性質を有することを意味する。
【００１９】
図６に示したＴＦＴ基板に対して、図７に示したＣＦ基板を左右反転させるように裏返して配向膜が内側になるように上側から被せ、ＴＦＴ基板とＣＦ基板との間に液晶層を保持したものと想定する。こうして、図８に示すように１つの画素内に４つのドメインが形成される。図８において上下方向の矢印として表示されている矢印はＴＦＴ基板の上面に形成された配向膜が有する配向方位である。図８において左右方向の矢印として表示されている矢印はＣＦ基板の下面に形成された配向膜が有する配向方位である。ＣＦ基板の下面の配向膜によって傾く液晶分子は図９に示すように、観察者からはＣＦ基板を透過するようにして観察されることとなる。液晶分子のＣＦ基板側の端が観察者から近い端となるので、この端がオタマジャクシ形状の頭として表示される。
【００２０】
図８においては、各ドメインの内部に液晶分子を示すオタマジャクシ形状が２つずつ重なって表示されているが、紙面手前側のオタマジャクシ形状がＣＦ基板の近傍の液晶分子のチルト方位を表す。紙面奥側のオタマジャクシ形状がＴＦＴ基板の近傍の液晶分子のチルト方位を表す。各ドメイン内においては、ＴＦＴ基板の近傍の液晶分子に現れるチルト方位とＣＦ基板の近傍の液晶分子に現れるチルト方位とは９０°をなして交差している。
【００２１】
液晶層の厚み方向の中央においては、図８に表示された２つのチルト方位を合成した向きに液晶分子が傾くこととなるので、各ドメイン内における厚み方向の中央での液晶分子のチルト方位は図１０に示すようになる。電圧を印加したときには、ＴＦＴ基板に設けられた画素電極の外形線近傍においては斜め電界が発生し、図１１に示すようになる。すなわち、画素電極の外形線近傍にある液晶分子は斜め電界の影響により外形線に垂直な側に傾こうとする。図１１では画素電極の外形線上に液晶分子の傾きを表示している。
【００２２】
図１１に示される各ドメインの外形線のうち画素の外形線と兼ねる辺を「ドメイン辺」と呼ぶものとする。１つの画素の中には８本のドメイン辺を想定することができる。画素の１つの辺はそれぞれ２つのドメイン辺からなる。液晶分子の記号の頭同士が向き合っているドメイン辺においては、液晶分子の向きが乱れ、暗線となる。また、ドメイン同士が隣接する箇所においても、液晶分子のチルト角は９０°異なることとなるので暗線が生じる。結果的に、図１２に示すようにドメイン同士の境界と、画素の外形線上の４つのドメイン辺とにおいて暗線が生じる。１つの画素の全体としては鉤十字（swastika）の形状に暗線が現れる。
【００２３】
液晶分子を示す記号と暗線のシミュレーション結果とを重ねたところを図１３に示す。図１３において破線の楕円で囲まれた区間において暗線が生じている。
【００２４】
発明者らは鋭意努力の結果、上述のような原理で生じている暗線の発生を抑制するために本発明をなしとげた。
【００２５】
（実施の形態１）
図１４〜図１７を参照して、本発明に基づく実施の形態１における液晶表示装置について説明する。図１４に示すように、本実施の形態における液晶表示装置１は、複数の画素３を含む表示領域２を有する。図１５に示すように、液晶表示装置１は、少なくとも表示領域２に延在する液晶層４と、液晶層４を挟み込むように互いに貼り合わせられた第１および第２の基板としてのＴＦＴ基板５およびＣＦ基板６と、前記第１，第２の基板を挟み込むように配置された一対の偏光板７ａ，７ｂとを備える。前記第１の基板としてのＴＦＴ基板５には、複数の画素３の各々に対応して画素電極８が設けられている。前記第２の基板としてのＣＦ基板６には、画素電極８と対向するように対向電極９が設けられている。画素電極８の液晶層４側の表面には第１配向膜１１が配置されている。対向電極９の液晶層４側の表面には第２配向膜１２が配置されている。図１５では、説明の便宜のため、ＴＦＴ、配線、コンタクトホールなどの構造物を図示省略している。図１６に示すように、画素３は、第１および第２配向膜１１，１２の配向方位の組合せがそれぞれ異なった状態となっている複数のドメイン１３を含む。画素電極８は、外形辺の少なくとも一部に沿って、前記外形辺の近傍にスリット群１４を有する。スリット群１４は複数のスリット１５の集合である。
【００２６】
ここで、画素３とドメイン１３との平面的位置関係を説明するために、図１７を参照する。ＴＦＴ基板５の表面には、画素３に対応するサイズの電極として画素電極８が配置されている。画素３は平面的に見た幾何学的領域の概念であり、画素電極８は画素３をほぼ被覆するように配置される電極としての部材を意味するものとする。ここでは、１つの画素３は縦長の長方形であるものとして説明をするが、これはあくまで例示であり、理論上は画素は他の形状であってもよい。本実施の形態では、画素３の内部には４つのドメイン１３が含まれている。ドメイン同士の間では、第１および第２配向膜１１，１２の配向方位の組合せがそれぞれ異なっている。言い換えれば、１つの画素３の内部の複数のドメインの中から任意の２つのドメインを選択してドメイン同士を比較すると、第１および第２配向膜１１，１２の配向方位の組合せが一致しない。図１６、図１７に示した例では１つの画素３の中に４つのドメインがあり、配向方位の組合せがドメインごとに異なるので、１つの画素の中に配向方位の組合せが４通り存在するといえる。
【００２７】
ここでは、１つの画素３の内部に４つのドメインが形成されている例を示したが、１つの画素の内部に設けられるドメインの数は４より大きくても小さくてもよい。
【００２８】
本実施の形態における液晶表示装置では、画素電極８の外形辺の少なくとも一部に沿って、前記外形辺の近傍にスリット群１４を有するので、暗線が抑えられる。図１８に示すＺ１部における暗線発生のシミュレーション結果を図１９に示す。スリット群１４がない場合の同じ部位における暗線発生のシミュレーション結果を図２０に示す。図１９、図２０において、白抜き矢印は、第１基板としてのＴＦＴ基板５の表面に設けられた配向膜すなわち第１配向膜１１の配向方位を示し、黒い矢印は、第２基板としてのＣＦ基板６の表面に設けられた配向膜すなわち第２配向膜１２の配向方位を示す。なお、このシミュレーションにおいては画素電極はいわゆる全面ベタ構造、すなわち単純な長方形の板状とし、液晶分子のチルト角は８８．２°としている。実際に試作した液晶表示装置においてもシミュレーション結果と同様の結果が得られることを発明者らは確認済みである。
【００２９】
図１９と図２０とを比較すると、図１９では、図２０に比べて暗線の発生領域が明らかに狭くなっていることがわかる。このように、本実施の形態における液晶表示装置によれば、複数のドメインを備えた液晶表示装置において画素の外形線の一部に暗線が生じる現象を抑制することができる。
【００３０】
透過率をグラフにしたものを図２１に示す。図２１における横軸の「水平位置」は、画素間中線１８の位置を０とし、画素電極８の内側に向かう向き、すなわち、図１９、図２０における右側を正として位置を表している。「画素間中線」とは、画素電極８同士の間の間隙の中心線を意味する。図１９、図２０においては、画素間中線１８は一点鎖線で表示されている。図２１における縦軸の「透過率」は、各位置における光の透過率を示す。暗線となっている箇所では、透過率が低くなっている。図２１のグラフからは、本発明に従ってスリット群を設けることによって、スリット群を設けない場合に比べて暗線の幅が縮小していることがわかる。シミュレーション結果によれば、スリット群なしの場合の透過率は０．２６３であるのに対して、スリット群ありの場合の透過率は０．３０３である。スリット群ありとしたことによる改善率は１．１５である。
【００３１】
なお、本実施の形態においては、前記複数のドメインの外形辺のうち前記画素電極の外形辺をなすものを「ドメイン辺」と呼ぶこととしたとき、スリット群１４は、第１配向膜１１と第２配向膜１２とによって液晶層４の厚み方向中央において生じる液晶分子の前記第２基板側の端が向く側の前記ドメイン辺に設けられていることが好ましい。たとえば図２１に示すように画素３は４つのドメイン１３を含み、画素３の外形辺は８本のドメイン辺１６ａ〜１６ｈを含んでいる。第１配向膜１１と第２配向膜１２とによって液晶層４の厚み方向中央において生じる液晶分子の前記第２基板側の端は、図２２に示したように、ドメイン辺１６ａ，１６ｃ，１６ｅ，１６ｇの側を向いている。本実施の形態では、この条件を満たすようにスリット群１４が配置されている。すなわち、図１６に示すようにスリット群１４が配置されている。このようにすることで、スリット群がなければ暗線が生じるであろう箇所に、集中的にスリット群を設けることができるので、暗線の発生を効率的に抑制することができる。
【００３２】
本実施の形態では、図２３に示すように、スリット群１４は、画素電極８の最も近い外形辺１７に対して垂直な方向９１に延在する線状のスリット１５を最も近い外形辺１７に平行な方向９２に複数並べたものであることが好ましい。本実施の形態では、この条件を満たすようにスリット群１４が配置されている。このようにすることで、暗線の発生を効率的に抑制することができる。スリットの延在方向と暗線抑制効果との関係については実験結果とともに後述する。
【００３３】
図２３に示すように、スリット群のライン部すなわち画素電極が存在する部分の幅をＷＬとし、スリット群のスペース部すなわち画素電極がない部分の幅をＷＳと呼ぶこととする。暗線発生のシミュレーションはＷＬ＝４μｍ、ＷＳ＝３μｍとして行なった。
【００３４】
（スリットの条件に関する比較実験）
発明者らは、スリット群１４に含まれる個々のスリット１５の延在方向やサイズに関して最適な条件を探るために実験を行なった。これらの実験を実施の形態２，３として以下に説明する。
【００３５】
なお、図２４に示すように、画素電極８の外形辺とスリット１５とがなす角度θを「スリット角」と呼ぶものとし、画素間中線とスリットの画素間中線から遠い側の端との間の距離Ｌを「スリット深さ」と呼ぶものとする。スリットなしの場合のシミュレーション結果を比較のために図２５に示す。
【００３６】
（実施の形態２）
（スリット角に関する実験）
スリット深さＬを１６μｍとして、スリット角θを４５°、９０°としたときのシミュレーション結果を図２６、図２７にそれぞれ示す。このシミュレーション結果における透過率をグラフにしたものを図２８に示す。スリット角θが９０°の場合の方がスリット角θが４５°の場合に比べて暗線が細くなっていることが、シミュレーション結果の画像からもグラフからも明らかである。このような検討の結果、発明者らは、スリット深さが一定の場合は、スリット角θを９０°としたときに透過率が最大となるという結論に至った。
【００３７】
（実施の形態３）
（スリット深さに関する実験）
スリット角θを９０°として、スリット深さＬを１２μｍ、１６μｍ、２０μｍとしたときのシミュレーション結果を図２９、図３０、図３１にそれぞれ示す。このシミュレーション結果における透過率をグラフにしたものを図３２に示す。シミュレーション結果の画像およびグラフから、スリット深さＬ＝１２μｍでは、スリット群なしの場合を示す図２５に比較しても改善しているとはいえず、却って暗線の幅が大きくなることがわかった。スリット深さＬ＝２０μｍでは、スリット１５の長辺に沿って短い暗部が発生し、その結果、透過率が下がることがわかった。このような検討の結果、発明者らは、スリット角が一定の場合は、スリット深さＬは１６μｍとしたときに透過率が最大となるという結論に至った。
【００３８】
このスリット深さＬを１６μｍとしたときのスリット１５の画素電極８の端から遠い側の端の位置は、スリット群１４が設けられなかった場合に生じる暗線の画素電極８の端から遠い側の端の位置に等しい。発明者らは、検討の結果、この条件が満たされるようにスリットの長さを設定することが好ましいことを突き止めた。言い換えれば、スリット１５の画素電極８の端から遠い側の端の位置は、スリット群１４が設けられなかった場合に生じる暗線の画素電極８の端から遠い側の端の位置に等しいことが好ましい。この構成が採用されれば、暗線を効率良く抑制することができる。
【００３９】
なお、画素３は長方形であり、複数のドメイン１３は画素３の内部に縦２つ横２つの合計４つ配列されたドメイン１３であり、各ドメイン１３においては、各ドメイン１３の外形辺であってかつ画素３の外形辺をなす２辺のうち一方の辺に沿って前記スリット群１４が設けられていることが好ましい。このようにすることで、暗線の発生を効率的に抑制することができる。前記２辺のうち他方の辺に沿っては前記スリット群が設けられていないことが好ましい。このようにすることで、画素の外形辺のうち必要な部分のみにスリット群を設けることができるようになるので、暗線の発生を効率的に抑制することができる。
【００４０】
なお、上記各実施の形態では、配向膜は露光によって特定の配向方位を設定されるものとして説明したが、配向膜における配向方位の設定方法は露光以外の何らかの方法であってもよい。
【００４１】
なお、今回開示した上記実施の形態はすべての点で例示であって制限的なものではない。本発明の範囲は上記した説明ではなくて請求の範囲によって示され、請求の範囲と均等の意味および範囲内でのすべての変更を含むものである。
【産業上の利用可能性】
【００４２】
本発明は、液晶表示装置に利用することができる。
【符号の説明】
【００４３】
１  液晶表示装置、２  表示領域、３  画素、４  液晶層、５  ＴＦＴ基板、６  ＣＦ基板、７ａ，７ｂ  偏光板、８  画素電極、９  対向電極、１１  第１配向膜、１２  第２配向膜、１３  ドメイン、１４  スリット群、１５  スリット、１６ａ〜１６ｈ  ドメイン辺、１７  （画素電極の）外形辺、１８  画素間中線、９１，９２  方向。
【図１】
2012099047.tif 000003
【図２】
2012099047.tif 000004
【図３】
2012099047.tif 000005
【図４】
2012099047.tif 000006
【図５】
2012099047.tif 000007
【図６】
2012099047.tif 000008
【図７】
2012099047.tif 000009
【図８】
2012099047.tif 000010
【図９】
2012099047.tif 000011
【図１０】
2012099047.tif 000012
【図１１】
2012099047.tif 000013
【図１２】
2012099047.tif 000014
【図１４】
2012099047.tif 000015
【図１５】
2012099047.tif 000016
【図１６】
2012099047.tif 000017
【図１７】
2012099047.tif 000018
【図１８】
2012099047.tif 000019
【図２１】
2012099047.tif 000020
【図２２】
2012099047.tif 000021
【図２３】
2012099047.tif 000022
【図２４】
2012099047.tif 000023
【図２８】
2012099047.tif 000024
【図３２】
2012099047.tif 000025
【図１３】
2012099047.tif 000026
【図１９】
2012099047.tif 000027
【図２０】
2012099047.tif 000028
【図２５】
2012099047.tif 000029
【図２６】
2012099047.tif 000030
【図２７】
2012099047.tif 000031
【図２９】
2012099047.tif 000032
【図３０】
2012099047.tif 000033
【図３１】
2012099047.tif 000034
【手続補正書】
【提出日】平成25年7月18日(2013.7.18)
【手続補正１】
【補正対象書類名】特許請求の範囲
【補正対象項目名】全文
【補正方法】変更
【補正の内容】
【特許請求の範囲】
【請求項１】
複数の画素を含む表示領域を有し、
少なくとも前記表示領域に延在する液晶層と、
前記液晶層を挟み込むように互いに貼り合わせられた第１および第２の基板と、
前記第１，第２の基板を挟み込むように配置された一対の偏光板とを備える液晶表示装置であって、
前記第１の基板には、前記複数の画素の各々に対応して画素電極が設けられ、
前記第２の基板には、前記画素電極と対向するように対向電極が設けられ、
前記画素電極の前記液晶層側の表面には第１配向膜が配置され、
前記対向電極の前記液晶層側の表面には第２配向膜が配置され、
前記画素は、前記第１および第２配向膜の配向方位の組合せがそれぞれ異なった状態となっている複数のドメインを含み、
前記画素電極は、外形辺の少なくとも一部に沿って、前記外形辺の近傍にスリット群を有し、
前記複数のドメインの外形辺のうち前記画素電極の外形辺をなすものをドメイン辺と呼ぶこととしたとき、前記スリット群は、前記第１配向膜と前記第２配向膜とによって前記液晶層の厚み方向中央において生じる液晶分子の前記第２基板側の端が向く側の前記ドメイン辺に設けられている、液晶表示装置。
【請求項２】
前記スリット群は、前記画素電極の最も近い外形辺に対して垂直な方向に延在する線状のスリットを前記最も近い外形辺に平行な方向に複数並べたものである、請求項１に記載の液晶表示装置。
【請求項３】
前記スリットの前記画素電極の端から遠い側の端の位置は、前記スリット群が設けられなかった場合に生じる暗線の前記画素電極の端から遠い側の端の位置に等しい、請求項２に記載の液晶表示装置。
【請求項４】
前記画素は長方形であり、前記複数のドメインは前記画素の内部に縦２つ横２つの合計４つ配列されたドメインであり、前記各ドメインにおいては、前記各ドメインの外形辺であってかつ前記画素の外形辺をなす２辺のうち一方の辺に沿って前記スリット群が設けられている、請求項１から３のいずれかに記載の液晶表示装置。
【請求項５】
前記２辺のうち他方の辺に沿っては前記スリット群が設けられていない、請求項４に記載の液晶表示装置。
【国際調査報告】
2012099047.tif 000035
2012099047.tif 000036